【手続補正書】
【提出日】平成26年3月27日(2014.3.27)
【手続補正１】
【補正対象書類名】特許請求の範囲
【補正対象項目名】全文
【補正方法】変更
【補正の内容】
【特許請求の範囲】
【請求項１】
放送局から送られる放送番組を受信する受信機と、前記受信機にインターネット回線を介して通信可能に接続された管理装置で構成されるデジタル放送システムであって、
前記受信機は、
前記放送局から送られるデータ放送用の番組コンテンツを表示装置の画面に表示されるように制御する表示制御手段と、
を備え、
前記管理装置は、
前記インターネット回線を介して取得する通信コンテンツの取得が許可されている受信機データを管理する管理手段と、
前記受信機から受信した前記受信機を特定する情報が、前記受信機データに管理されているか否かを判定する判定手段と、
前記判定手段によって前記受信機データに管理されていると判定された場合に、前記特定する情報を受信した受信機に、前記通信コンテンツの取得許可を送信する送信手段と、
を備え、
前記受信機において、
前記送信手段によって送信された前記取得許可に従って取得した前記通信コンテンツを、前記放送局から送られる放送番組とともに前記画面に表示するように前記表示制御手段が制御することを特徴とするデジタル放送システム。
【請求項２】
前記受信機は、
前記通信コンテンツの取得要求を、前記放送局から送られるデータ放送用の番組コンテンツが表示されている画面上の選択によって受け付ける取得要求受付手段と、
前記受け付けた取得要求に基づいて、前記管理装置に前記受信機を特定する情報を送信する受信機情報送信手段と、
をさらに備えることを特徴とする請求項１に記載のデジタル放送システム。
【請求項３】
前記放送局から送られるデータ放送には、前記受信機が通信コンテンツを取得可能なサービスレベルが含まれており、
前記受信機は、
前記判定手段によって前記受信機データに管理されていると判定された場合に前記管理装置によって設定された、前記受信機が通信コンテンツを取得可能なサービスレベルを前記受信機の不揮発性メモリに記憶するサービスレベル記憶手段と、
前記画面に表示している放送番組が、別の放送番組に変更されたか否かを判断し、前記変更されたと判断される場合には、前記不揮発性のメモリに記憶されているサービスレベルと前記放送局から送られるデータ放送に含まれるサービスレベルとに基づいて、前記受信機が通信コンテンツを取得許可された受信機であるか否かを判定するサービスレベル判定手段と、
前記サービスレベル判定手段により前記受信機が通信コンテンツを取得許可された受信機であると判定された場合に、前記放送局から送られるデータ放送に含まれているリンク情報に基づいてコンテンツ配信装置から通信コンテンツの取得を行うことを特徴とする請求項１または２に記載のデジタル放送システム。
【請求項４】
前記受信機の表示制御手段で表示されている前記通信コンテンツの表示を終了する指示を受け付けた場合には、前記受信機の揮発性メモリに前記データ放送に基づく前記通信コンテンツの取得を一時抑止状態として記憶する一時抑止設定手段と、
前記揮発性メモリに一時抑止状態が記憶されている場合には、前記前記放送局から送られるデータ放送用の番組コンテンツを、前記放送局から送られる放送番組とともに前記画面に表示するように前記表示制御手段が制御することを特徴とする請求項１乃至３のいずれか１項に記載のデジタル放送システム。
【請求項５】
放送局から送られる放送番組を受信する受信機と、前記受信機にインターネット回線を介して通信可能に接続され、前記インターネット回線を介して取得する通信コンテンツの取得が許可されている受信機データを管理する管理手段を備える管理装置で構成されるデジタル放送システムの制御方法であって、
前記受信機の表示制御手段が、前記放送局から送られるデータ放送用の番組コンテンツを表示装置の画面に表示されるように制御する表示制御工程と、
を含み、
前記管理装置の判定手段が、前記受信機から受信した前記受信機を特定する情報が、前記受信機データに管理されているか否かを判定する判定工程と、
前記管理装置の送信手段が、前記判定工程によって前記受信機データに管理されていると判定された場合に、前記特定する情報を受信した受信機に、前記通信コンテンツの取得許可を送信する送信工程と、
を含み、
前記受信機の前記表示制御手段が、前記送信工程によって送信された前記取得許可に従って取得した前記通信コンテンツを、前記放送局から送られる放送番組とともに前記画面に表示するように前記表示制御工程が制御することを特徴とする制御方法。
【請求項６】
放送局から送られる放送番組を受信する受信機と、前記受信機にインターネット回線を介して通信可能に接続された管理装置で構成されるデジタル放送システムで読み取り実行可能なプログラムであって、
前記受信機を、
前記放送局から送られるデータ放送用の番組コンテンツを表示装置の画面に表示されるように制御する表示制御手段と、
して機能させ、
前記管理装置を、
前記インターネット回線を介して取得する通信コンテンツの取得が許可されている受信機データを管理する管理手段と、
前記受信機から受信した前記受信機を特定する情報が、前記受信機データに管理されているか否かを判定する判定手段と、
前記判定手段によって前記受信機データに管理されていると判定された場合に、前記特定する情報を受信した受信機に、前記通信コンテンツの取得許可を送信する送信手段と、
して機能させ、
前記受信機において、
前記送信手段によって送信された前記取得許可に従って取得した前記通信コンテンツを、前記放送局から送られる放送番組とともに前記画面に表示するように前記表示制御手段が制御することを特徴とするプログラム。
【手続補正２】
【補正対象書類名】明細書
【補正対象項目名】発明の名称
【補正方法】変更
【補正の内容】
【発明の名称】デジタル放送システム、その制御方法およびプログラム
【手続補正３】
【補正対象書類名】明細書
【補正対象項目名】０００８
【補正方法】変更
【補正の内容】
【０００８】
本発明は、インターネット回線から取得する通信コンテンツにアクセス可能な受信機を予め絞り込むために、管理者側で管理されている受信機のみにインターネット回線から取得した通信コンテンツを、放送局から送られる放送番組とともに掲示させる事が可能な仕組みを提供することを目的とする。
【手続補正４】
【補正対象書類名】明細書
【補正対象項目名】０００９
【補正方法】変更
【補正の内容】
【０００９】
本発明は、放送局から送られる放送番組を受信する受信機と、前記受信機にインターネット回線を介して通信可能に接続された管理装置で構成されるデジタル放送システムであって、前記受信機は、前記放送局から送られるデータ放送用の番組コンテンツを表示装置の画面に表示されるように制御する表示制御手段と、を備え、前記管理装置は、前記インターネット回線を介して取得する通信コンテンツの取得が許可されている受信機データを管理する管理手段と、前記受信機から受信した前記受信機を特定する情報が、前記受信機データに管理されているか否かを判定する判定手段と、前記判定手段によって前記受信機データに管理されていると判定された場合に、前記特定する情報を受信した受信機に、前記通信コンテンツの取得許可を送信する送信手段と、を備え、前記受信機において、前記送信手段によって送信された前記取得許可に従って取得した前記通信コンテンツを、前記放送局から送られる放送番組とともに前記画面に表示するように前記表示制御手段が制御することを特徴とする。
また、前記受信機は、前記通信コンテンツの取得要求を、前記放送局から送られるデータ放送用の番組コンテンツが表示されている画面上の選択によって受け付ける取得要求受付手段と、前記受け付けた取得要求に基づいて、前記管理装置に前記受信機を特定する情報を送信する受信機情報送信手段と、をさらに備えることを特徴とする。
また、前記放送局から送られるデータ放送には、前記受信機が通信コンテンツを取得可能なサービスレベルが含まれており、前記受信機は、前記判定手段によって前記受信機データに管理されていると判定された場合に前記管理装置によって設定された、前記受信機が通信コンテンツを取得可能なサービスレベルを前記受信機の不揮発性メモリに記憶するサービスレベル記憶手段と、前記画面に表示している放送番組が、別の放送番組に変更されたか否かを判断し、前記変更されたと判断される場合には、前記不揮発性のメモリに記憶されているサービスレベルと前記放送局から送られるデータ放送に含まれるサービスレベルとに基づいて、前記受信機が通信コンテンツを取得許可された受信機であるか否かを判定するサービスレベル判定手段と、前記サービスレベル判定手段により前記受信機が通信コンテンツを取得許可された受信機であると判定された場合に、前記放送局から送られるデータ放送に含まれているリンク情報に基づいてコンテンツ配信装置から通信コンテンツの取得を行うことを特徴とする。
また、前記受信機の表示制御手段で表示されている前記通信コンテンツの表示を終了する指示を受け付けた場合には、前記受信機の揮発性メモリに前記データ放送に基づく前記通信コンテンツの取得を一時抑止状態として記憶する一時抑止設定手段と、前記揮発性メモリに一時抑止状態が記憶されている場合には、前記前記放送局から送られるデータ放送用の番組コンテンツを、前記放送局から送られる放送番組とともに前記画面に表示するように前記表示制御手段が制御することを特徴とする。
【手続補正５】
【補正対象書類名】明細書
【補正対象項目名】００１０
【補正方法】変更
【補正の内容】
【００１０】
本発明により、インターネット回線から取得する通信コンテンツにアクセス可能な受信機を予め絞り込むために、管理者側で管理されている受信機のみにインターネット回線から取得した通信コンテンツを、放送局から送られる放送番組とともに掲示させる仕組みを提供することが可能となる。
【手続補正６】
【補正対象書類名】明細書
【補正対象項目名】００７６
【補正方法】変更
【補正の内容】
【００７６】
通信コンテンツの自動掲示対象であれば、番組コンテンツに含まれるＢＭＬスクリプトに記憶されているＵＲＩで示されるコンテンツサイト３００に取得要求をするためにアクセスし、インターネットに接続された通信コンテンツサーバ３０１に格納されている「通信コンテンツ」を取得し、受信機４００で表示する（ステップ５０７）。不揮発性メモリ（ＮｖＲＡＭ）に記録されているサービスレベルの値が、サービス対象端末ではない値（例えば、「０」であったり、サービスレベルが異なる場合）であれば、番組コンテンツのＢＭＬスクリプトから、通常の番組コンテンツに関連したデータ放送画面を表示する。このＢＭＬスクリプトは、実装上ＢＭＬスクリプトのｓｔａｒｔｕｐ文書である事が望ましい。